(57)【要約】【課題】投射画像の横方向または縦方向のみ曲率を有するような投射面の曲率を簡単な構成で変更することができ、装置の取り扱いが容易な曲面スクリーン装置およびディスプレイ装置を提供する。【解決手段】プロジェクタ１などの投射装置から出射された投射画像が投射される投射面１ａが曲面状のスクリーン１を備えたスクリーン装置１０２において、スクリーン１は、可撓性であり、前記スクリーン１の一端側を保持する第１保持部材２ａと、スクリーン１の他端側を保持する第２保持部材２ｂとを有し、第１保持部材２ａと第２保持部材２ｂとでスクリーン１を撓ませて投射面を曲面状にする曲面形成手段と、第１保持部材２ａおよび第２保持部材２ｂの少なくとも一方の保持部材を、他方の保持部材との間隔、スクリーン１に対する保持位置およびスクリーン１の保持部材から抜け出す方向のうち少なくともひとつを変更可能に構成した。【選択図】図１
2015099198.tif 000002
【特許請求の範囲】
【請求項１】
投射装置から出射された投射画像が投射される投射面が曲面状のスクリーンを備えたスクリーン装置において、
前記スクリーンは、可撓性であり、
前記スクリーンの一端側を保持する第１保持部材と、前記スクリーンの他端側を保持する第２保持部材とを有し、
前記第１保持部材と第２保持部材とで前記スクリーンを撓ませて前記投射面を曲面状にする曲面形成手段と、
前記第１保持部材および前記第２保持部材の少なくとも一方の保持部材を、他方の保持部材との間隔、前記スクリーンに対する保持位置および前記スクリーンの保持部材から抜け出す方向のうち少なくともひとつを変更可能に構成したことを特徴とするスクリーン装置。
【請求項２】
請求項１に記載のスクリーン装置において、
前記第１保持部材および前記第２保持部材の少なくとも一方の保持部材を、前記第１保持部材と前記第２保持部材の並び方向にスライド移動可能に構成し、一方の保持部材と他方の保持部材との間隔を調整可能にしたことを特徴とするスクリーン装置。
【請求項３】
請求項１または２に記載のスクリーン装置において、
前記第１保持部材および前記第２保持部材の少なくとも一方の保持部材に前記スクリーンの一部を引き出し可能に収納する収納部を備え、
前記収納部からのスクリーンの引き出し量を調整することにより、保持部材のスクリーンに対する保持位置を調整可能にしたことを特徴とするスクリーン装置。
【請求項４】
請求項１乃至３いずれかに記載のスクリーン装置において、
前記第１保持部材と前記第２保持部材との間隔と、前記第１保持部材および前記第２保持部材の少なくとも一方の保持部材のスクリーンに対する保持位置とを調整可能に構成したことを特徴とするスクリーン装置。
【請求項５】
請求項１乃至４いずれかに記載のスクリーン装置において、
前記スクリーンの投射面のアスペクト比を調整可能とするアスペクト比調整手段を備えたことを特徴とするスクリーン装置。
【請求項６】
請求項５に記載のスクリーン装置において、
前記アスペクト比調整手段は、前記第１保持部材と、前記第２保持部材との並び方向に対して直交する方向におけるスクリーン一端側を覆う範囲を変更することにより前記アスペクト比が調整されることを特徴とするスクリーン装置。
【請求項７】
画像を投射する投射装置と、
前記投射装置の投射画像が投射されるスクリーン装置とを備えたディスプレイ装置において、
前記スクリーン装置として、請求項１乃至５いずれかに記載のスクリーン装置を用いたことを特徴とするディスプレイ装置。
【発明の詳細な説明】
【技術分野】
【０００１】
本発明は、スクリーン装置およびディスプレイ装置に関するものである。
【背景技術】
【０００２】
近年、プロジェクターの映像を補正して曲面に歪のない映像を投射する技術が開発され、曲面スクリーンに歪のない映像を投射することが可能となっている。
【０００３】
特許文献１には、半球体のスクリーンに画像を投射するディスプレイ装置が記載されている。また、このディスプレイ装置では、スクリーンが可撓性および伸縮性を有し、スクリーンの画像が投射される投射面の曲率を自在に変更しうるように構成している。具体的には、スクリーン等で形成した気密空間に充填された気体の量を調整することにより、スクリーンの投射面の曲率を変更している。すなわち、気密空間の気体量を増やすことにより、可撓性および伸縮性を有するスクリーンを風船が膨らむように膨張させることで、投射面の曲率を大きくすることができる。一方、気密空間の気体量を減らしていけば、スクリーンが収縮して曲率を小さくすることができる。
【発明の概要】
【発明が解決しようとする課題】
【０００４】
しかしながら、特許文献１に記載のように気密空間の気体の充填量を変更することにより投射面曲率を変更する方法は、球面状のスクリーンで適用可能であり、例えば、投射画像の横方向または縦方向のみ曲率を有するようなスクリーンでは、適用できない。また、仮に適用できたとしても、気体が漏れ出ないような気密空間を形成する必要があり、装置が非常に大掛かりになるおそれもある。また、スクリーンなどに小さい穴などが開いてしまうと、気密空間の気体が抜けてしまい、曲率調整ができなくなる。そのため、装置の取り扱いに注意が必要となる。
【０００５】
本発明は以上の課題に鑑みなされたものであり、その目的は、投射画像の横方向または縦方向のみ曲率を有するような投射面の曲率を簡単な構成で変更することができ、装置の取り扱いが容易なスクリーン装置およびディスプレイ装置を提供することである。
【課題を解決するための手段】
【０００６】
上記目的を達成するために、請求項１の発明は、投射装置から出射された投射画像が投射される投射面が曲面状のスクリーンを備えたスクリーン装置において、前記スクリーンは、可撓性であり、前記スクリーンの一端側を保持する第１保持部材と、前記スクリーンの他端側を保持する第２保持部材とを有し、前記第１保持部材と第２保持部材とで前記スクリーンを撓ませて前記投射面を曲面状にする曲面形成手段と、前記第１保持部材および前記第２保持部材の少なくとも一方の保持部材を、他方の保持部材との間隔、前記スクリーンの保持位置および前記スクリーンの保持部材から抜け出す方向のうち少なくともひとつを変更可能に構成したことを特徴とするものである。
【発明の効果】
【０００７】
投射画像の横方向または縦方向のみ曲率を有するような投射面の曲率や投射面のサイズを簡単な構成で変更することができる。
【図面の簡単な説明】
【０００８】
【図１】ディスプレイシステムの概略構成図。
【図２】（ａ）は、第１保持部材の側面図。（ｂ）は、第１保持部材の正面図。（ｃ）は、第１保持部材の上面図。
【図３】図２（ａ）のＡ−Ａ断面図。
【図４】（ａ）は、調整前の状態を示すスクリーン装置の上面図。（ｂ）は、第２保持部材を第１保持部材側へ移動させたときの様子を説明する図。（ｃ）は、第２保持部材を第１保持部材から離れるように移動させたとときの様子を説明する図。
【図５】（ａ）は、調整前の状態を示すスクリーン装置の上面図。（ｂ）は、収納部６からスクリーンを引き出しときの様子を説明する図。（ｃ）は、収納部６からスクリーンを押し入れたときの様子を説明する図。
【図６】変形例１のディスプレイシステムの概略構成図。
【図７】変形例２のディスプレイシステムを示す斜視図。
【図８】変形例３のディスプレイシステムのスクリーン装置の概略構成図。
【図９】変形例４のディスプレイシステムを示す斜視図。
【図１０】各保持部材の底部に縦溝と、２個の横溝と設けた実施形態の概略構成図。
【図１１】収納部を、箱型形状のケース部材にした実施形態の説明図。
【図１２】ディスプレイ装置の概略斜視図。
【図１３】投射面の曲率を変更する別の構成を示す斜視図。
【発明を実施するための形態】
【０００９】
以下、本発明を適用した実施形態について説明する。
図１は、ディスプレイシステム１００の概略構成図である。
図１に示すように、ディスプレイシステム１００は、画像投射装置としてのプロジェクタ１０１と、スクリーン装置１０２とを備えている。
【００１０】
スクリーン装置１０２は、透過型のスクリーン１と、スクリーン１の投射面１ａの長手方向一端側を保持する第１保持部材２ａと、スクリーンの他端側を保持する第２保持部材２ｂとを備えている。また、スクリーン装置１０２は、第１保持部材２ａ、第２保持部材２ｂをスライド自在に支持する土台部材３、スクリーン１の投射面１ａのアスペクト比を調整するアスペクト比調整部材４、スクリーン１の一部を収納する収納部６などを備えている。
【００１１】
スクリーン１は、樹脂などの可撓性の部材からなり、第１保持部材２ａと第２保持部材２ｂとにより投射面の中央部がプロジェクタ１０１設置側と反対側に撓んで、保持されている。これにより、スクリーンの投射された投射画像を視る人側の面が、凸状に湾曲した曲面が形成される。すなわち、本実施形態では、第１保持部材２ａと第２保持部材２ｂとが、曲面形成手段として機能している。スクリーンの投射された投射画像を視る人側の面を、凸状にすることにより、投射面１ａに投射された画像を視認できる範囲が広がり、多くの人にスクリーンに投射された投射画像に着目させることができる。よって、例えば、街頭広告などに本ディスプレイシステム１００を用いることで、多くの人に広告画像を着目させることができる。
【００１２】
土台部材３には、２本のスライドレール５ａ，５ｂが、画像投射方向（図中Ｚ方向）に所定の間隔を開けて設けられている。第１保持部材２ａおよび第２保持部材２ｂの底面には、それぞれスライドレール５ａ，５ｂが嵌る２個のスライド溝（不図示）が設けられている。第１保持部材２ａおよび第２保持部材２ｂの不図示のスライド溝を、土台部材３のスライドレール５ａ，５ｂに嵌め合わせることにより、各保持部材２ａ，２ｂが、図中Ｘ方向にスライド移動可能に土台部材３に支持される。
【００１３】
各保持部材２ａ，２ｂは、不図示のストッパーによって、図中Ｘ方向に移動不能に止められている。
【００１４】
図２（ａ）は、第１保持部材２ａの側面図であり、図２（ｂ）は、第１保持部材２ａの正面図であり、図２（ｃ）は、第１保持部材２ａの上面図である。また、図３は、図２（ａ）のＡ−Ａ断面図である。
図２に示すように、第１保持部材２ａの側面には、スクリーン１の一部を収納する収納部６が設けられている。収納部６は、スクリーン１を第１保持部材２ａの側面に沿って収納するための一対の収納部材６１ａ、６１ｂを有している。一対の収納部材６１ａ、６１ｂは、第１保持部材２ａの側面に固定されている。
【００１５】
図３に示すように、第１保持部材２ａの上側に固定された上側収納部材６１ａは、第１保持部材２ａの側面から垂直に立ち上がった垂直面と、その垂直面の端部から９０°下方へ延びて、第１保持部材２ａの側面と平行な平行面とを有している。第１保持部材２ａの下側に固定された下側収納部材６１ｂは、第１保持部材２ａの側面から垂直に立ち上がった垂直面と、その垂直面の端部から９０°上方へ延びて、第１保持部材２ａの側面と平行な平行面とを有している。
【００１６】
スクリーン１は、第１保持部材２ａの側面と、一対の収納部材６１ａ，６１ｂとにより、第１保持部材２ａの側面に沿って引き出し可能に第１保持部材２ａの側面に収納される。
【００１７】
また、一対の収納部材６１ａ、６１ｂのスクリーン引き出し側端部には、それぞれ、スクリーン１を収納部６から引き出し不能に固定するストッパー部材７が設けられている。スクリーン１は、ストッパー部材７により第１保持部材２ａに押し当てられて留められている。
【００１８】
また、第２保持部材２ｂの側面にも、収納部６を設け両側からスクリーン１を引き出し可能に構成してもよい。
【００１９】
また、先の図１に示すように、スクリーン１の投射面１ａの下方には、アスペクト比調整部材４が設けられている。アスペクト比調整部材４は、例えば、黒色の布や、黒色のフィルムなどからなり、その一部が、第１または第２保持部材に設けられた不図示の収納部に収納されている。アスペクト比調整部材４は、スクリーン１の第１保持部材２ａと第２保持部材２ｂとに架け渡された部分の下部を覆って、スクリーン１の投射面１ａを所望のアスペクト比に調整するものである。
【００２０】
スクリーン１の投射面１ａの曲率やサイズなどは、投射面１ａに投射する映像や、設置場所などのシーンによって異なる。そこで、本実施形態のスクリーン装置１０２は、投射面１ａの曲率やサイズなどを変更できるようになっている。
【００２１】
以下に、スクリーン１の投射面１ａを所望の曲率および所望サイズの調整について、説明する。
本実施形態においては、投射面１ａの曲率は、可撓性のスクリーン１の撓み量を変更することにより調整する。
まず、第２保持部材２ｂを止めている不図示のストッパーを外しして、第２保持部材２ｂをスライド移動可能な状態にし、第２保持部材２ｂをスライド移動させる。図４（ｂ）に示すように、第２保持部材２ｂを第１保持部材２ａ側へ移動させると、投射面のＸ方向サイズが縮まる。一方、図４（ｃ）に示すように、第２保持部材２ｂを第１保持部材２ａ側とは反対側へスライド移動させることで、投射面１ａのＸ方向サイズが拡大する。投射面１ａのＸ方向のサイズが所望のサイズとなる箇所へ第２保持部材２ｂを移動させたら、不図示のストッパにより第２保持部材２ｂを固定する。
【００２２】
第２保持部材２ｂを第１保持部材２ａ側へ移動させると、保持部材間の間隔が狭まり、図４（ｂ）に示すように、投射面１ａの撓みが大きくなって投射面１ａの曲率が大きくなる。一方、図４（ｂ）に示すように、第２保持部材２ｂを第１保持部材２ａ側とは反対側へスライド移動させると、保持部材間の間隔が広がり投射面１ａの撓みが小さくなって投射面１ａの曲率が小さくなる。その結果、投射面１ａの曲率が所望の曲率から外れてしまう。従って、収納部６からスクリーン１を引き出したり、収納部６へスクリーン１を押入れたりして、ストッパ７のスクリーン留め位置を変更して、投射面１ａの曲率を調整する。すなわち、第１保持部材２ａのスクリーン保持位置を変更するのである。
【００２３】
収納部６からスクリーン１を引き出したり、収納部６へスクリーン１を押入れたりするときは、まず、ストッパー部材７を取り外して、スクリーン１の固定を外す。次に、現在の曲率が、所望の曲率よりも小さいときは、図５（ｂ）に示すように、収納部６からスクリーン１を引き出す。これにより、投射面１ａの撓みが大きくなり、投射面１ａの曲率を大きくできる。また、現在の曲率が、所望の曲率よりも大きいときは、図５（ｃ）に示すように、収納部６へスクリーン１を押し入れる。これにより、投射面１ａの撓みが小さくなり、投射面１ａの曲率を小さくできる。そして、スクリーン１を収納したり、引き出したりして、投射面１ａの曲率を所望の曲率にしたら、ストッパー部材７を再び取り付けて、スクリーン１を固定する。
【００２４】
次に、アスペクト比調整部材４を、引き上げたり押し下げたりして、投射面１ａのＹ方向サイズを調整し、投射面１ａのアスペクト比が所望のアスペクト比となるように調整する。
【００２５】
これにより、投射面１ａに投射する映像や、設置場所などのシーンに対応する所望の曲率やサイズに投射面１ａを調整することができる。また、調整した所望の曲率で歪なく表示され、かつ、調整したサイズで表示されるよう、予めプログラムなどにより補正された画像が、プロジェクタ１０１から投射面１ａに投射される。
【００２６】
また、第１保持部材２ａと第２保持部材２ｂとを同方向に移動させることにより、投射面１ａのＸ方向の位置を調整することもできる。また、上述では、第２保持部材２ｂのみを移動させて、投射面１ａのＸ方向サイズを調整しているが、第１保持部材２ａと第２保持部材２ｂを互いに異なる方向に同量移動させることにより、投射面１ａのＸ方向の位置を変更せずに、Ｘ方向のサイズを調整できる。
【００２７】
本実施形態においては、第１保持部材２ａと第２保持部材２ｂとの距離と、収納部６からのスクリーン１の引き出し量（第２保持部材のスクリーン保持位置）とを調整することにより、曲率を変えずに、投射面１ａのＸ方向サイズのみを変更することができる。また、収納部６からのスクリーン１の引き出し量のみを調整すれば、投射面のＸ方向サイズを変えずに、投射面の曲率のみを変更することができる。
【００２８】
また、曲率のみ調整可能でよいのであれば、第１保持部材２ａ、第２保持部材２ｂのいずれかをスライド可能に構成するか、スクリーン１を収納部６から引き出し可能に構成するかすればよい。
【００２９】
また、図１３に示すような構成でも、投射面のＸ方向サイズを変えずに、投射面の曲率を調整できる。
この図１３に示す構成は、各保持部材２ａ，２ｂを、回動自在に設けている。図１３（ｂ）に示すように、第１保持部材２ａを図中時計方向に回転させ、第２保持部材２ｂを図中反時計回りに回転させることにより、スクリーン１の保持部材から抜け出す方向αとＸ方向とのなす角度が大きくなる。その結果、スクリーンの撓みが大きくなり、スクリーンの曲率を大きくすることができる。図１３（ｂ）とは逆に各保持部材を回転させると、スクリーン１の保持部材から抜け出す方向αとＸ方向とのなす角度が小さくなり、スクリーンの撓みが小さくなる。その結果、投射面の曲率が小さくなる。このように、スクリーン１の保持部材からの抜け出し方向を変更することでも、投射面１ａの曲率を調整することができる。
【００３０】
次に、変形例について説明する。
【００３１】
［変形例１］
図６は、変形例１のディスプレイシステムの概略構成図である。
この図６に示す変形例１のディスプレイシステムは、第２保持部材２ｂの位置や、スクリーン１の引き出し量から、投射面１ａのサイズや曲率を検知し、その検知結果に基づいて、投射面１ａに投射する画像を補正するようにしたものである。
【００３２】
図６に示すように、この変形例１においては、スクリーン１の収納部６からの引き出し量を検知する引き出し量検知部３０と、第２保持部材２ｂのＸ方向の位置を検知する保持部材検知部２０とを有している。
【００３３】
引き出し量検知部３０は、収納部６に収納されたスクリーンに当接して、スクリーンの移動により連れ回りする検知ローラ３１と、検知ローラ３１の回転方向、回転量を把握するためのエンコーダ３２とを備えている。回転方向、回転量を把握するためのエンコーダ３２としては、例えば、ロータリーエンコーダを用いることができる。エンコーダ３２は、制御部４０に接続されており、制御部４０は、エンコーダ３２から送られるパルス信号から、検知ローラ３１の回転方向や回転量を検知する。検知ローラ３１の回転方向を検知することで、現在の状態から、スクリーン１が収納部６から引き出されたのか、収納部６に押し入れられたのかを検知することができる。また、エンコーダ３２により検知ローラ３１の回転量を検知することで、スクリーン１の移動量を検知することができる。
【００３４】
制御部４０の不揮発性メモリには、スクリーンの引き出し量が記憶されている。制御部４０は、検知ローラ３１の回転方向から、スクリーン１が収納部６に押入れられたことを検知した場合は、検知ローラ３１の回転量から把握したスクリーン１の移動量を、不揮発性メモリに記憶されているスクリーン１の引き出し量から減ずる。一方、検知ローラ３１の回転方向から、スクリーン１が収納部６から引き出されたことを検知した場合は、検知ローラ３１の回転量から把握したスクリーンの移動量を、不揮発性メモリに記憶されているスクリーンの引き出し量に加える。これにより、調整後のスクリーン引き出し量を把握することができる。
【００３５】
保持部材検知部２０は、複数の反射型光学センサ２１を有している。複数の反射型センサ２１は、第２保持部材２ｂのスライド移動方向に並べて配置されている。第２保持部材２ｂの上記反射型光学センサと対向する面には、不図示の反射板が設けられている。複数の反射型光学センサ２１のうち、第２保持部材２ｂと対向する反射型光学センサ２１は発光素子から発した光が第２保持部材２ｂの反射板に反射して、受光素子が光が受光し、制御部４０に所定の出力電圧を出力する。一方、第２保持部材２ｂと対向しない反射型光学センサ２１は、発光素子からの光は、受光素子に受光されず電圧が出力されない。制御部４０は、複数の反射型光学センサ２１のうち、どの反射型光学センサが電圧を出力しているか把握することにより、第２保持部材２ｂの図中Ｘ方向の位置を把握することができる。
【００３６】
制御部４０は、調整後のスクリーン引き出し量と、把握した第２保持部材２ｂの図中Ｘ方向の位置とから、投射面１ａの曲率とＸ方向のサイズとを把握する。そして、制御部４０に入力された画像データを、把握した投射面１ａの曲率とサイズとに基づいて補正し、補正した画像データを、プロジェクタ１０１に送信する。プロジェクタ１０１は、補正した画像データを投射面１ａに投射することで、投射面１ａに投射面１ａの曲率やサイズに対応した画像を投射することができ、歪のない良好な画像を、投射面１ａに投射することができる。
【００３７】
［変形例２］
図７は、変形例２のディスプレイシステムを示す斜視図である。
この変形例２では、スクリーン１として反射型スクリーンを用いたものである。反射型スクリーンを用いた場合、プロジェクタ１０１は、スクリーンの投射された投射画像を視る人側の面に投射画像を投射する。
【００３８】
［変形例３］
図８は、変形例３のディスプレイシステムのスクリーン装置１０２の概略構成図である。
この変形例３では、第１、第２保持部材２ａ，２ｂを、Ｚ方向（画像投射方向）に対して傾斜させたものである。具体的には、保持部材の投射面側端部を、投射面側と反対側端部よりも内側にし、略ハの字状に配置した。
【００３９】
図８に示すように、保持部材を略ハの字状に配置することにより、図５に示すように、保持部材をＺ方向と平行に配置した場合に比べて、収納部６に収納されたスクリーンと、スクリーンの投射面とのなす角度を広げることができる。これにより、収納部６に収納された部分と、引き出された部分との間（図中Ａの部分）の屈曲が抑制され、その屈曲部分でスクリーンに癖がつき、曲がった状態となるなどの不具合が発生するのを抑制することができる。
【００４０】
［変形例４］
図９は、変形例４のディスプレイシステムを示す斜視図である。
この変形例４では、スクリーンの投射画像を視る人側の面を、凹状の曲面としたものである。凹状の曲面とすることにより、視る人の視野範囲のほとんどを投射画像にでき、視る人に投射画像への没入感を味あわせることができる。
【００４１】
この変形例４においては、保持部材２ａ、２ｂを、画像投射方向（図中Ｚ方向）に対して直交するように配置している。これは、変形例４においては、スクリーン１を収納部６側へ撓ませる構成である。このため、先の図１に示すように、保持部材２ａ，２ｂをＺ方向に対して平行に配置した場合、スクリーン１の収納部から引き出された部分と収納部６に収納された部分との間の屈曲が大きくなってしまう。その結果、この屈曲する部分でスクリーンが塑性変形してしまうおそれがある。そのため、この変形例４においては、保持部材２ａ、２ｂを、画像投射方向（図中Ｚ方向）に対して直交するように配置したのである。このように、保持部材２ａ、２ｂを、画像投射方向（図中Ｚ方向）に対して直交するように配置することにより、スクリーンの投射面の部分と収納部に収納された部分との間の屈曲を小さくすることができる。これにより、スクリーンが塑性変形するのを防止することができる。また、スクリーンの投射面の部分と収納部に収納された部分との間の屈曲が小さいので、収納部６からスクリーンを引き出したり、収納部６へスクリーンを押し入れたりするのを容易に行うことができる。
【００４２】
また、図１０に示すように、各保持部材２ａ，２ｂの底部に縦溝２１ｂと、２個の横溝２１ａと設けて、図１０（ａ）、図１０（ｂ）に示すように、投射面の視者が視る面を、凸状にしたり、凹状としたりできるようにしてもよい。
図１０（ａ）に示すように、投射面の視者が視る面を、凸状にする場合は、各保持部材の横溝２１ａを、２本のスライドレール５ａ，５ｂにはめ込む。これにより、各保持部材２ａ，２ｂを画像投射方向と平行に配置でき、かつ、各保持部材２ａ、２ｂを、画像投射方向と直交する方向にスライド移動可能にできる。
【００４３】
一方、図１０（ｂ）に示すように、投射面の視者が視る面を、凹状にする場合は、各保持部材２ａ，２ｂの縦溝２１ｂを、２本のスライドレール５ａ、５ｂのうち、一方に嵌めこむ。これにより、各保持部材２ａ，２ｂを画像投射方向と直交する方向に配置でき、かつ、各保持部材２ａ、２ｂを、画像投射方向と直交する方向にスライド移動可能にできる。
【００４４】
また、上述では、収納部６を、一対の収納部材６１ａ、６１ｂで構成したが、例えば、図１１に示すように、収納部６を、箱型形状のケース部材６１０にしてもよい。図１１に示す構成では、ケース部材６１０に開口部を有し、その開口部から、スクリーン１が引き出されるように構成している。また、開口部には、ローラ対６１１を設け、スクリーン１をこの一対のローラ対６１１で挟み込んで、スクリーン１を引き出しやすくするとともに、開口部の縁にスクリーン１が引っ掛かって、スクリーン１に傷が付かないようにしている。また、ケース部材６１０内には、スクリーンを移動不能に止めるストッパ部材７が設けられている。ストッパ部材７は、ケース部材６１０を貫通するレバーなどの不図示の操作部材によりケース部材６１０外からアクセス可能に構成されており、不図示の操作部材を操作することにより、解除可能になっている。
【００４５】
図１１に示すように、収納部６をケース部材６１０で構成し、ケース部材６１０内にスクリーン１を保持することにより、一対の収納部材６１ａ，６１ｂで保持した場合に比べて、スクリーン１の屈曲を緩やかにすることができる。これにより、スクリーン１が曲がってしまうのを抑制することができる。
【００４６】
また、上記以外に、収納部６として、スクリーン１を巻き取る巻き取り部材を、第１保持部材２ａの側面に回転可能に設け、巻き取り部材でスクリーンを巻き取ることで、スクリーンを収納してもよい。この場合は、巻き取り部材を回転不能に止めるストッパを設けることで、スクリーンを止めることができる。
【００４７】
図１２は、ディスプレイ装置２００を示す概略構成図である。
図１２に示すように、ディスプレイ装置２００の筐体２０１内には、上述したスクリーン装置１０２とプロジェクタ１０１とからなるディスプレイシステム１００が収納されている。また、筐体２０１内には、折り返しミラー２０２も収納されている。プロジェクタ１０１とスクリーン装置１０２とは、鉛直方向に並べて配置されている。プロジェクタ１０１から投射された投射画像は、折り返しミラー２０２によって折り返されて、スクリーン１に投射される。
【００４８】
折り返しミラー２０２を設けることにより、プロジェクタ１０１からスクリーン１までの投射距離を変えずに、装置の小型化を図ることができる。
【００４９】
また、図１２に示すディスプレイ装置２００においては、アクチュエータやモータを用いて、第１、第２保持部材２ａ，２ｂの移動や、スクリーン１の収納部６からの引き出し／押入れを自動で行うようにしてもよい。例えば、パーソナルコンピュータなどで、入力されたサイズ情報に基づいて、自動的に第１保持部材２ａや第２保持部材２ｂがスライド移動して、投射面のＸ方向サイズが調整される。また、入力された曲率の情報に基づいて、自動的にスクリーンを収納部から引き出したり、収納部へ戻したりして、投射面の曲率が調整される。また、プロジェクタ１０１は、入力されたサイズ情報や曲率情報に基づいて画像データを補正し、補正した画像を投射する。これにより、手間なく、所望のサイズ、所望の曲率の投射面に歪のない画像を投射することができる。
【００５０】
以上に説明したものは一例であり、本発明は、以下の態様毎に特有の効果を奏する。
（態様１）
プロジェクタ１などの投射装置から出射された投射画像が投射される投射面１ａが曲面状のスクリーン１を備えたスクリーン装置１０２において、
前記スクリーン１は、可撓性であり、前記スクリーン１の一端側を保持する第１保持部材２ａと、スクリーン１の他端側を保持する第２保持部材２ｂとを有し、第１保持部材２ａと第２保持部材２ｂとでスクリーン１を撓ませて投射面を曲面状にする曲面形成手段と、第１保持部材２ａおよび第２保持部材２ｂの少なくとも一方の保持部材を、他方の保持部材との間隔、スクリーン１に対する保持位置およびスクリーン１の保持部材から抜け出す方向のうち少なくともひとつを変更可能に構成した。
（態様１）
態様１によれば、第１保持部材および第２保持部材の少なくとも一方の保持部材を、他方の保持部材との間隔、スクリーン１に対する保持位置およびスクリーン１の保持部材から抜け出す方向のうち少なくともひとつを変更可能に構成することにより、スクリーン１の投射面１ａの曲率を調整できる。これにより、気密空間を形成し、気密空間に気体を出し入れするポンプなどを用いて、投射面の曲率を調整する特許文献１に記載の構成に比べて、簡単な構成で、投射面の曲率を調整することができる。また、スクリーンに穴などが開いても、曲率の調整が可能であり、取り扱いの容易な利便性の高い曲面スクリーン装置を提供することができる。
また、（態様１）によれば、投射画像の横方向または縦方向のみ曲率を有するような投射面の曲率を調整することができる。
【００５１】
（態様２）
（態様１）において、第１保持部材２ａおよび第２保持部材２ｂの少なくとも一方の保持部材を、第１保持部材２ａと第２保持部材２ｂの並び方向にスライド移動可能に構成し、一方の保持部材と他方の保持部材との間隔を調整可能にした。
（態様２）によれば、第１保持部材２ａ，第２保持部材２ｂの少なくとも一方を、第１保持部材２ａと第２保持部材２ｂの並び方向にスライド移動させて、第１保持部材２ａと第２保持部材２ｂとの間隔が近くなれば、スクリーンの撓みが大きくなり、投射面の曲率を大きくすることができる。一方、第１保持部材２ａと第２保持部材２ｂとの間隔が離れれば、スクリーンの撓みが小さくなり、投射面の曲率を小さくすることができる。このように、第１保持部材２ａ，第２保持部材２ｂの少なくとも一方を、第１保持部材２ａと第２保持部材２ｂの並び方向にスライド移動させるだけで、投射面の曲率を調整できる。よって、気密空間や、ポンプを用いて投射面の曲率を調整する特許文献１に記載の構成に比べて簡単な構成で曲率を調整することができる。また、スクリーン１に穴が開いても、曲率の調整を行うことができる。従って、特許文献１に記載の構成に比べて、取り扱いを容易にすることができる。
【００５２】
（態様３）
（態様１）または（態様２）において、第１保持部材２ａおよび第２保持部材２ｂの少なくとも一方の保持部材にスクリーンの一部を引き出し可能に収納する収納部６を備え、収納部６からのスクリーン１の引き出し量を調整することにより、保持部材のスクリーンに対する保持位置を調整可能にした。
（態様３）によれば、実施形態で説明したように、収納部６からスクリーン１を引き出して、保持部材のスクリーンの保持位置（本実施形態では、スクリーンのストッパ７と当接する位置）を変更することで、投射面の撓みを大きくでき、投射面の曲率を大きくできる。逆に、収納部６へスクリーン１を押し入れて、スクリーンの保持位置を変更した場合は、投射面の撓みを小さくでき、投射面の撓みを小さくできる。このように、（態様３）によれば、スクリーン１の一部を収納する収納部６を設けるだけで、投射面１ａの曲率を変更でき、気密空間や、ポンプを用いて投射面の曲率を調整する特許文献１に記載の構成に比べて簡単な構成で曲率を調整することができる。また、スクリーン１に穴が開いても、曲率の調整を行うことができる。従って、特許文献１に記載の構成に比べて、取り扱いを容易にすることができる。
【００５３】
（態様４）
（態様１）乃至（態様３）いずれかにおいて、第１保持部材２ａと第２保持部材２ｂとの間隔と、第１保持部材２ａおよび第２保持部材２ｂの少なくとも一方の保持部材のスクリーンに対する保持位置とを調整可能に構成した。
（態様４）によれば、実施形態で説明したように、第１保持部材２ａと第２保持部材２ｂとの間隔を調整することにより、投射面１ａの保持部材並び方向のサイズを変更できる。しかし、上述したように、第１保持部材２ａと第２保持部材２ｂと０の間隔を調整すると、投射面１ａの曲率も変更されてしまう。このため、第２保持部材２ｂの少なくとも一方の保持部材のスクリーンに対する保持位置とを調整して撓みを調整することにより、投射面１ａの曲率を所望の曲率に調整することができる。これにより、投射面１ａのサイズと曲率の両方を調整できる。また、第１保持部材２ａと第２保持部材２ｂと０の間隔を調整して投射面１ａのサイズを調整した後、保持部材のスクリーンに対する保持位置とを調整して調整前と同じ曲率に調整すれば、投射面１ａのサイズのみ調整できる。また、第１保持部材２ａ，２ｂの間隔を変えずに、保持部材のスクリーンに対する保持位置のみ調整すれば、投射面１ａの曲率のみ調整できる。
このように、（態様４）によれば、投射面の曲率とサイズの両方を調整できるので、曲率のみしか調整できない特許文献１に記載の装置に比べて、利便性の高いスクリーン装置を提供することができる。また、投射画像の横方向または縦方向のみ曲率を有するような投射面の曲率を調整することができる。
【００５４】
（態様５）
（態様１）乃至（態様４）において、スクリーン１の投射面１ａのアスペクト比を調整可能とするアスペクト比調整部材４などのアスペクト比調整手段を備えた。
かかる構成を備えることで、投射面１ａのアスペクト比を、所望のアスペクト比に調整することができる。
【００５５】
（態様６）
（態様５）において、アスペクト比調整部材４などのアスペクト比調整手段は、前記第１保持部材２ａと、前記第２保持部材２ｂとの並び方向に対して直交する方向におけるスクリーン一端側を覆う範囲を変更することによりアスペクト比が調整される。
（態様６）によれば、アスペクト比調整部材４などのアスペクト比調整手段で投射面１ａの覆う範囲を変えるだけで、アスペクト比を調整することができ、簡単な構成で、投射面１ａのアスペクト比を調整することができる。
【００５６】
（態様７）
画像を投射するプロジェクタ１０１などの投射装置と、投射装置の投射画像が投射されるスクリーン装置１０２とを備えたディスプレイ装置２００において、スクリーン装置１０２として、（態様１）乃至（態様６）いずれかのスクリーン装置を用いた。
（態様７）によれば、スクリーンの曲率を簡単な構成で調整することができ、装置のコストダウンを図ることができる。
【符号の説明】
【００５７】
１  スクリーン
１ａ  投射面
２ａ  第１保持部材
２ｂ  第２保持部材
３  土台部材
４  アスペクト比調整部材
５ａ，５ｂ  スライドレール
６  収納部
１００  ディスプレイシステム
１０１  プロジェクタ
１０２  スクリーン装置
２００  ディスプレイ装置
【先行技術文献】
【特許文献】
【００５８】
【特許文献１】特開２０１２−２３０４０４号公報
【図１】
2015099198.tif 000003
【図２】
2015099198.tif 000004
【図３】
2015099198.tif 000005
【図４】
2015099198.tif 000006
【図５】
2015099198.tif 000007
【図６】
2015099198.tif 000008
【図７】
2015099198.tif 000009
【図８】
2015099198.tif 000010
【図９】
2015099198.tif 000011
【図１０】
2015099198.tif 000012
【図１１】
2015099198.tif 000013
【図１２】
2015099198.tif 000014
【図１３】
2015099198.tif 000015